(57)【要約】【課題】本発明は、エアコン噴出し口の前に装着された飲料容器保持具に装着して使用する際に、エアコンの風が灰皿内およびその前方に与える悪影響を軽減し、更にタバコの火をもみ消す際の作業性が良い自動車用灰皿を提供することを課題とする。【構成】底部と筒状の周囲部からなる灰皿本体と、前記灰皿本体の後方上部位置に軸支さる蓋部とを有し、前記灰皿本体の周囲部の前方上部位置には略Ｕ字形の切欠部が形成され、前記灰皿本体の周囲部内面の後方位置には灰落とし部が形成され、前記灰落とし部の上端が、前記切欠部の下部位置よりも低い位置に形成される。【選択図】図１
2014144723.tif 000002
【特許請求の範囲】
【請求項１】
底部と筒状の周囲部からなり上部に開口部を有する灰皿本体と、前記灰皿本体の後方上部位置に軸支され前記灰皿の開口部を開閉可能に構成された蓋部と、を有し、前記灰皿本体の周囲部の前方上部位置には略Ｕ字形の切欠部が形成され、前記切欠部の左右間距離はタバコの外径よりも大きく、更に切欠部の左右間距離は下方から上方に向かって幅が拡大するように形成されることを特徴とする自動車用灰皿。
【請求項２】
前記切欠部の下端位置は、前記切欠部と隣接する灰皿本体の周囲部の高さよりも１０ｍｍ以上低く形成されることを特徴とする請求項１記載の自動車用灰皿。
【請求項３】
前記灰皿本体の周囲部において前記切欠部の下部位置の内面にはタバコを挟持可能な一対のリブが形成され、前記リブの上端位置は前記切欠部の下端位置と同等位置であることを特徴とする請求項１または２記載の自動車用灰皿。
【請求項４】
前記灰皿本体の周囲部内面の後方位置には複数の上下方向のリブからなる灰落とし部が形成され、前記灰落とし部の上端が、前記切欠部の下部位置よりも低い位置に形成されることを特徴とする請求項１〜３の何れか１項記載の自動車用灰皿。
【請求項５】
前記灰落とし部のリブの上部形状は前記灰皿本体の周囲部内面と隣接する位置から灰皿の中心方向に向かって下方に傾斜した形状のみで形成されることを特徴とする請求項４項記載の自動車用灰皿。
【請求項６】
前記蓋部は、前方に略Ｕ字形の舌部が形成され、前記灰皿本体の開口部を前記蓋部によって閉じた状態で、前記舌部が前記灰皿本体の切欠部を覆うように構成されることを特徴とする請求項１〜５の何れか１項記載の自動車用灰皿。
【発明の詳細な説明】
【技術分野】
【０００１】
本発明は、自動車の灰皿において、エアコン噴出し口の前に装着された飲料容器保持具に装着して使用する際に、エアコン噴出し口から出てくる風によってタバコの灰が飛び散ることを防止すると共に、夜間の暗い車内においても、灰皿内に正しく灰を落とすことが容易な灰皿形状を有するものである。
【背景技術】
【０００２】
従来の自動車用灰皿として、実用新案登録第３１５８８９５号公報では、灰皿本体の吸殻投入が可能な開口部に嗜好の傾斜角を付けることが可能に構成され、図４に示す様に、灰皿本体５１の上方に形成された開口部５２の前方内側位置にたばこを保持可能なＵ字状溝部５３を形成するとともに、前記開口部５２を前方に傾斜させて使用した場合には、前記灰皿本体５１の開口部５２が前方位置に対して側面位置および後方位置が高い位置に配置され、蓋部５５によって前記開口部５２を覆うことが出来る構成が開示されており、更にアコンの送風口であるエアコンルーバーに取付けるタイプのドリンクホルダーに装着する使用方法が開示されている。
【０００３】
また、他の従来の自動車用灰皿として、特開２００５−２１２７６９号公報では、図５に示す様に、灰皿本体６１の上方に形成された開口部６２の前方位置の内面にタバコが保持可能な一対のリブ６３を形成するとともに、前記開口部６２の後方に灰落とし用の凹凸形状部６４を形成し、更に前記開口部６２の前方位置に対して側面位置および後方位置を高い位置に形成し、蓋部６５によって、前記開口部６５を覆うことが出来る構成が開示されている。
【０００４】
しかしながら、実用新案登録第３１５８８９５号公報に開示される自動車用灰皿は、前記開口部５２を前方に傾斜させて使用した場合にタバコを保持可能なＵ字状溝部５３が斜め上方に向かって傾斜するため、前記Ｕ字状溝部５３によるタバコの保持状態でタバコの先端が持ち上がり、また、前記Ｕ字状溝部５３と近接する開口部５２の高さはタバコの保持位に対して十分な高さが得られないため、灰皿本体５１の周囲部５４による風除け効果は不十分であり、更に、視点を前方の交通状況に集中する必要がある運転中にタバコの灰を灰皿内に落とす場合は、上手く灰皿の中に灰を落とすのが難しく、特に夜間では誤って灰皿外にタバコの灰を落としやすかった。
【０００５】
また、前記特開２００５−２１２７６９号公報に開示される自動車用灰皿においても、タバコ保持用の一対のリブ６３の周囲部はタバコの保持位置に対して十分な高さが得られないため、灰皿本体６１の周囲部６３および後部による風除け効果は不十分であり、視点を前方の交通状況に集中する必要がある運転中にタバコの灰を灰皿内に落とす場合は、上手く灰皿の中に灰を落とすのが難しく、特に夜間では誤って灰皿外にタバコの灰を落としやすかった。
【０００６】
また、前記開口部６２の後方に形成された灰落とし用の凹凸形状部６４で、タバコの火をもみ消す場合に、前記凹凸形状部６４の上部位置が、灰皿の開口部６２と近い高さに形成されるため、エアコンからの風の影響を受け易く、タバコの火のもみ消し時に灰が飛び散る原因になっているとともに、前記凹凸形状部６４の上面形状は灰皿の中央側の部分が水平に形成されているため、タバコの火のもみ消し操作の際に、タバコを真上から凹凸形状部６４に押し付けないと、タバコが途中から折れ曲がってしまう不具合があり、自動車の座席に着座した状態でタバコの火をもみ消し作業を行なう際の作業性が非常に悪かった。
【先行技術文献】
【特許文献】
【０００７】
【特許文献１】実用新案登録第３１５８８９５号公報
【特許文献２】特開２００５−２１２７６９号公報
【発明の概要】
【発明が解決しようとする課題】
【０００８】
本発明の自動車用灰皿は、エアコン噴出し口の前に装着された飲料容器保持具に装着して使用する際に、簡単な構成でありながら、運転中にタバコの灰を誤って灰皿外に落とすことを防止すると同時に、エアコンの風が灰皿内およびその前方に与える悪影響を軽減し、更に灰皿本体の後方内面に設けた灰落とし部でのタバコの火をもみ消す際の作業性が良く、その際に落とした灰が、エアコンの風によって外部に拡散することを防止し、更に灰皿の不使用時に前記蓋部を閉じておけば、車内にタバコの匂いが発散することを防止することが出来、また、灰皿の灰捨て動作のために灰皿を車外に運ぶ場合などに、誤って灰をこぼすことを防止することを課題としている。
【課題を解決するための手段】
【０００９】
本発明の自動車用灰皿は、底部と筒状の周囲部からなり上部に開口部を有する灰皿本体と、前記灰皿本体の後方上部位置に軸支され前記灰皿の開口部を開閉可能に構成された蓋部と、を有し、前記灰皿本体の周囲部の前方上部位置には略Ｕ字形の切欠部が形成され、前記切欠部の左右間距離はタバコの外径よりも大きく、更に切欠部の左右間距離は下方から上方に向かって幅が拡大するように形成されることを特徴とする。
【００１０】
更に、前記切欠部の下端位置は、前記切欠部と隣接する灰皿本体の周囲部の高さよりも１０ｍｍ以上低く形成されると良い。
【００１１】
更に、前記灰皿本体の周囲部において前記切欠部の下部位置の内面にはタバコを挟持可能な一対のリブが形成され、前記リブの上端位置は前記切欠部の下端位置と同等位置であると良い。
【００１２】
更に、前記灰皿本体の周囲部内面の後方位置には複数の上下方向のリブからなる灰落とし部が形成され、前記灰落とし部の上端が、前記切欠部の下部位置よりも低い位置に形成されること良い。
【００１３】
更に、前記灰落とし部のリブの上部形状は前記灰皿本体の周囲部内面と隣接する位置から灰皿の中心方向に向かって下方に傾斜した形状のみで形成されると良い。
【００１４】
更に、前記蓋部は、前方に略Ｕ字形の舌部が形成され、前記灰皿本体の開口部を前記蓋部によって閉じた状態で、前記舌部が前記灰皿本体の切欠部を覆うように構成されると良い。
【発明の効果】
【００１５】
本発明は、簡単な構成でありながら、灰皿本体の周囲部前面に形成された切欠部がガイド部としてタバコを灰皿内に容易に導き、運転中にタバコの灰を誤って灰皿外に落とすことを防止すると同時に、前記ガイド部の底部に対して灰皿の周囲の側壁部が十分高く形成されるため、エアコンの風が灰皿内およびその前方に与える悪影響が軽減され、エアコンの風によって外部に拡散することを防止する効果を有する。
【００１６】
更に、灰皿本体の後方内面に設けた灰落とし部は、前記切欠部の下端位置およびタバコ挟持部の上端位置よりも低い位置に形成されることによって、エアコン噴出し口から噴出す風の影響が極力軽減される位置で灰落し操作を行なう際に、タバコの先端位置が作業者のタバコ把持位置よりも低い位置にすることができるため作業性が良く、更に前記灰落とし部のリブの上部位置が前記灰皿本体の周囲部内面と隣接する位置から灰皿の中心方向に向かって下方に傾斜して形成されるため、タバコの先端部を灰落とし部に押し付け、タバコの火をもみ消す際に、タバコの軸線に対する折れ曲げ方向の力を抑え、タバコの火を効率良くもみ消すことができる効果を有する。
【００１７】
さらに、蓋部の前方位置には前記灰皿本体のガイド部の切欠部形状に合致した舌部が形成されるため、灰皿の不使用時に前記蓋部を閉じておけば、車内にタバコの匂いが発散することを防止することが出来、また、灰皿の灰捨て動作のために灰皿を車外に運ぶ場合などに、誤って灰をこぼすことを防止する効果を有する。
【図面の簡単な説明】
【００１８】
【図１】本発明の自動車用灰皿の蓋部を開いた状態の斜視図である。
【図２】本発明の自動車用灰皿の蓋部を閉じた状態の斜視図である。
【図３】本発明の自動車用灰皿の蓋部を閉じた状態の断面図である。
【図４】従来技術の自動車用灰皿の蓋部を開いた状態の斜視図である。
【図５】従来技術の自動車用灰皿の蓋部を開いた状態の斜視図である。
【発明を実施するための形態】
【００１９】
本発明の自動車用灰皿の実施例は、図１〜図３に示すように、底部１１と前記底部１１から上方に延在する筒状の周囲部１２からなり前記周囲部１１の上端に開口部１３が形成される灰皿本体１と、前記灰皿本体１の後方上部１４の位置に軸支され前記灰皿の開口部１３を開閉可能に構成される蓋部２とを有し、前記灰皿本体１の周囲部１２の前方上部１５の位置には略Ｕ字形の切欠部１６が形成され、前記切欠部１６の左右間距離はタバコの外径よりも大きく、上方に向かって幅が拡大するように形成される。
【００２０】
本実施例において、前記切欠部１６の左右間距離は、前記切欠部１６の下端位置で略１８ｍｍ、上端位置で略２８ｍｍに形成され、前記切欠部１６の下端位置は隣接する灰皿本体１の開口部１３の高さよりも１６ｍｍ低く形成され、更に前記灰皿本体１の周囲部１２の前記切欠部１６形成位置の下方内面にはタバコの挟持部１７として一対のリブが形成され、前記リブの上端位置は前記切欠部１６の下端位置と同等であり、前記リブ間の隙間の寸法がタバコの外径よりも若干小さく（実施例では７ｍｍ）形成されることによってタバコが挟持可能に構成される。尚、エアコン噴出し口から噴出す風の影響を軽減するために前記切欠部１６の下端位置の高さは隣接する灰皿本体１の周囲部の高さよりも１０ｍｍ以上低いことが望ましく、前記切欠部１６によってタバコがスムーズに挟持部１７に到達するようにガイドすると同時に、前記挟持部１７によるタバコ保持の際にエアコン噴出し口から噴出す風の影響を軽減するため、前記切欠部１６の左右間距離は、前記切欠部の下端位置で３０ｍｍ以下、上端位置で４０ｍｍ以下であることが望ましい。
【００２１】
更に、前記灰皿本体１の周囲部１２の内面の後方位置には複数の上下方向のリブからなる灰落とし部１８が形成され、前記灰落とし部１８を形成するリブの上部の位置が前記切欠部１６の下端位置、すなわち前記タバコ挟持部１７の上端位置よりも低い位置に灰落とし部１８が形成されることによって、エアコン噴出し口から噴出す風の影響が軽減される位置で灰落し操作を行なうことができ、その際タバコの先端位置が作業者のタバコ把持位置よりも低い位置にすることができるため作業性が良く、また、前記灰落とし部１８のリブの上部１９の形状が前記灰皿本体１の周囲部１２内面と隣接する位置から灰皿の中心方向に向かって下方に傾斜した形状のみで形成されるため、使用者が自動車の座席に着座したままの状態で、斜め前方にタバコの先端部を前記灰落とし部１８に押し付け、タバコの火をもみ消す動作をした場合も、タバコの軸線に対する折れ曲げ方向の力が発生することを防止しタバコの火を効率良くもみ消すことができる。
【００２２】
尚、前記蓋部２は、前方に下方に向かう略Ｕ字形の舌部２１が形成され、前記灰皿本体１の開口部１３を前記蓋部２によって閉じた状態で、前記舌部２１が前記灰皿本体１の切欠部１６を覆うように構成されることにより、灰皿の不使用時に前記蓋部２を閉じておけば、車内にタバコの匂いが発散することを防止することが出来、また、灰皿の灰捨て動作のために灰皿を車外に運ぶ場合などに、誤って灰をこぼすことを防止する効果を有する。尚、本発明において、灰皿本体１の周囲部の横断面形状は円形に限定されず、楕円形もしくは、円と直線の組合せ、直線のみの組合せ、多角形など自由な形状で形成することができる。
【産業上の利用可能性】
【００２３】
本発明は、エアコン吹き出し口の前に配置しても、使用時に灰が飛び散り難い、自動車用の灰皿として産業上利用可能である。
【符号の説明】
【００２４】
１：灰皿本体、２：蓋部、１１：底部、１２：周囲部、１３：開口部、１４：後方上部、１５：前方上部、１６：切欠部、１７：挟持部、１８：灰落とし部、１９：リブの上部、２１：舌部、５１：灰皿本体、５２：開口部、５３：Ｕ時状溝部、５４：周囲部、５５：蓋部、６１：灰皿本体、６２：開口部、６３：一対のリブ、６４：凹凸形状部、６５：蓋部
【図１】
2014144723.tif 000003
【図２】
2014144723.tif 000004
【図３】
2014144723.tif 000005
【図４】
2014144723.tif 000006
【図５】
2014144723.tif 000007